(57)【要約】    【課題】防滑性能とスライド性能との両立に優れたテニス靴の提供。    【解決手段】テニス靴のソールには、多数の突出部１６ｅが形成されている。突出部１６ｅは、アウトサイド壁２４を備えている。踵部のアウトサイド半分において、鉛直方向に対する傾斜角度θが１５°以上４５°以下であるアウトサイド壁２４の合計長さの、全てのアウトサイド壁２４の合計長さに対する比率Ｐｈｏは、６０％以上である。踵部のインサイド半分において、鉛直方向に対する傾斜角度が−１０°以上１０°以下であるアウトサイド壁の合計長さの、全てのアウトサイド壁の合計長さに対する比率Ｐｈｉは、６０％以上である。踵部のアウトサイド半分において、鉛直方向に対するアウトサイド壁２４の傾斜角度の平均値は１５°以上４５°以下である。踵部のインサイド半分において、鉛直方向に対するアウトサイド壁の傾斜角度の平均値は−１０°以上１０°以下である。【選択図】図４
2005073823.tif 000002
【特許請求の範囲】
【請求項１】
踵部及び爪先部を有するソールを備えており、
このソールの底面に、アウトサイド壁を有する突出部が多数形成されており、
踵部のアウトサイド半分において、鉛直方向に対する傾斜角度が１５°以上４５°以下であるアウトサイド壁の合計長さの、全てのアウトサイド壁の合計長さに対する比率Ｐｈｏが６０％以上であり、
踵部のインサイド半分において、鉛直方向に対する傾斜角度が−１０°以上１０°以下であるアウトサイド壁の合計長さの、全てのアウトサイド壁の合計長さに対する比率Ｐｈｉが６０％以上であるテニス靴。
【請求項２】
踵部及び爪先部を有するソールを備えており、
このソールの底面に、アウトサイド壁を有する突出部が多数形成されており、
踵部のアウトサイド半分において、鉛直方向に対するアウトサイド壁の傾斜角度の平均値が１５°以上４５°以下であり、
踵部のインサイド半分において、鉛直方向に対するアウトサイド壁の傾斜角度の平均値が−１０°以上１０°以下であるテニス靴。
【請求項３】
踵部及び爪先部を有するソールを備えており、
このソールの底面に、アウトサイド壁を有する突出部が多数形成されており、
爪先部のアウトサイド半分において、鉛直方向に対する傾斜角度が１５°以上４５°以下であるアウトサイド壁の合計長さの、全てのアウトサイド壁の合計長さに対する比率Ｐｔｏが６０％以上であり、
爪先部のインサイド半分において、鉛直方向に対する傾斜角度が−１０°以上１０°以下であるアウトサイド壁の合計長さの、全てのアウトサイド壁の合計長さに対する比率Ｐｔｉが６０％以上であるテニス靴。
【請求項４】
踵部及び爪先部を有するソールを備えており、
このソールの底面に、アウトサイド壁を有する突出部が多数形成されており、
爪先部のアウトサイド半分において、鉛直方向に対するアウトサイド壁の傾斜角度の平均値が１５°以上４５°以下であり、
爪先部のインサイド半分において、鉛直方向に対するアウトサイド壁の傾斜角度の平均値が−１０°以上１０°以下であるテニス靴。
【発明の詳細な説明】
【技術分野】
【０００１】
本発明は、テニス靴に関する。詳細には、本発明は、テニス靴の底面の改良に関する
【背景技術】
【０００２】
テニスのラリーでは、プレーヤーは、コートの中を激しく移動しつつストロークを行う。プレーヤーは、相手のストロークからボールの方向を予測し、目標地点に向かって移動する。目標地点に近づくと、プレーヤーは足を固定し、ストロークの体勢を整える。この後は、プレーヤーの足は地面とスライドする。短い距離ではあるが、スライドによってプレーヤーの体は進む。スライドにより、プレーヤーに加わる衝撃が緩和される。目標地点に到達したプレーヤーは、ストロークを行う。次にプレーヤーは地面をキックし、次の目標地点へと移動する。ラリーのみならず、ウォーミングアップ及びトレーニングでも、同様の動作が繰り返される。
【０００３】
スライドの段階では、テニス靴と地面とが適度にスリップすることが好ましい。テニス靴には、スライド性能が要求される。一方、キックの段階では、テニス靴と地面とがスリップを起こさないことが好ましい。テニス靴には、防滑性能が要求される。特開平７−２１３３０４号公報には、底面の突出部の平面形状が工夫されることにより防滑性能とスライド性能とが両立されたテニス靴が開示されている。
【特許文献１】特開平７−２１３３０４号公報
【発明の開示】
【発明が解決しようとする課題】
【０００４】
上記公報に開示されたテニス靴であっても、防滑性能とスライド性能との両立は十分ではない。本発明の目的は、防滑性能とスライド性能との両立にある。
【課題を解決するための手段】
【０００５】
本発明に係るテニス靴は、踵部及び爪先部を有するソールを備えている。このソールの底面には、アウトサイド壁を有する突出部が多数形成されている。踵部のアウトサイド半分において、鉛直方向に対する傾斜角度が１５°（degree)以上４５°以下であるアウトサイド壁の合計長さの、全てのアウトサイド壁の合計長さに対する比率Ｐｈｏは、６０％以上である。踵部のインサイド半分において、鉛直方向に対する傾斜角度が−１０°以上１０°以下であるアウトサイド壁の合計長さの、全てのアウトサイド壁の合計長さに対する比率Ｐｈｉは、６０％以上である。
【０００６】
他の発明に係るテニス靴は、踵部及び爪先部を有するソールを備えている。このソールの底面に、アウトサイド壁を有する突出部が多数形成されている。踵部のアウトサイド半分において、鉛直方向に対するアウトサイド壁の傾斜角度の平均値は、１５°以上４５°以下である。踵部のインサイド半分において、鉛直方向に対するアウトサイド壁の傾斜角度の平均値は、−１０°以上１０°以下である。
【０００７】
さらに他の発明に係るテニス靴は、踵部及び爪先部を有するソールを備えている。このソールの底面に、アウトサイド壁を有する突出部が多数形成されている。爪先部のアウトサイド半分において、鉛直方向に対する傾斜角度が１５°以上４５°以下であるアウトサイド壁の合計長さの、全てのアウトサイド壁の合計長さに対する比率Ｐｔｏは、６０％以上である。爪先部のインサイド半分において、鉛直方向に対する傾斜角度が−１０°以上１０°以下であるアウトサイド壁の合計長さの、全てのアウトサイド壁の合計長さに対する比率Ｐｔｉは、６０％以上である。
【０００８】
さらに他の発明に係るテニス靴は、踵部及び爪先部を有するソールを備えている。このソールの底面に、アウトサイド壁を有する突出部が多数形成されている。爪先部のアウトサイド半分において、鉛直方向に対するアウトサイド壁の傾斜角度の平均値は、１５°以上４５°以下である。爪先部のインサイド半分において、鉛直方向に対するアウトサイド壁の傾斜角度の平均値は、−１０°以上１０°以下である。
【発明の効果】
【０００９】
このテニス靴では、インサイド半分のアウトサイド壁が防滑性能に寄与する。このテニス靴では、アウトサイド半分のアウトサイド壁がスライド性能に寄与する。このテニス靴では、防滑性能とスライド性能とが両立される。
【発明を実施するための最良の形態】
【００１０】
以下、適宜図面が参照されつつ、好ましい実施形態に基づいて本発明が詳細に説明される。
【００１１】
図１は、本発明の一実施形態に係るテニス靴２が示された側面図である。このテニス靴２は、アッパー４及びソール６を備えている。アッパー４の材質は、既知のテニス靴のアッパーと同等である。ソール６の材質は、既知のテニス靴のソールと同等である。一般的には、ソール６は架橋ゴム又は合成樹脂から構成される。このテニス靴２の全長は、一般的には、２３ｃｍ以上３１ｃｍ以下である。全長は、踵先端近傍と爪先先端近傍とを結ぶ線分の内で最長のものの長さを意味する。
【００１２】
図２は、図１のテニス靴２が示された底面図である。この図２には、ソール６が示されている。この図２において上側は爪先側であり、下側は踵側であり、右側はアウトサイドであり、左側はインサイドである。この図２における上下方向は、ソール６の長さ方向である。このソール６は、左足用である。右足用のソールは、図２に示された形状が反転された形状を呈する。
【００１３】
ソール６は、踵部８、土踏まず部１０及び爪先部１２を備えている。踵部８と爪先部１２とは、土踏まず部１０によって分断されている。ソール６が明確な土踏まず部１０を備えていない場合は、踵側端から全長の４０％までが踵部８とされ、爪先側端から全長の５０％までが爪先部１２とされる。ソール６は、ベース１４と多数の突出部１６とを備えている。突出部１６は、筋状である。突出部１６は、ベース１４と一体的に成形されている。突出部１６の高さは、１ｍｍ以上８ｍｍ以下である。突出部１６の投影面積の合計がベース１４の投影面積に占める比率は、３０％以上７０％以下である。
【００１４】
図３は、図２のソール６の一部が示された拡大図である。この図３には、踵部８が示されている。踵部８は、アウトサイド半分１８及びインサイド半分２０からなる。図３に示された中心線Ｃｈは、踵部８の幅Ｗｈを二等分している。中心線Ｃｈにより、踵部８がアウトサイド半分１８とインサイド半分２０とに区画されている。図３から明らかなように、踵部８は第一から第十の突出部１６を備えている。アウトサイド半分１８には、１個の第一突出部１６ａと、２個の第二突出部１６ｂと、３個の第三突出部１６ｃと、３個の第四突出部１６ｄと、４個の第五突出部１６ｅとが存在する。インサイド半分２０には、４個の第六突出部１６ｆと、３個の第七突出部１６ｇと、３個の第八突出部１６ｈと、２個の第九突出部１６ｉと、１個の第十突出部１６ｊとが存在する。
【００１５】
図４（ａ）は図３の踵部８の第五突出部１６ｅが正面方向から見られた断面図であり、図４（ｂ）はその底面図であり、図４（ｃ）は図４（ｂ）のＣ−Ｃ線に沿った断面図である。図４（ｂ）において右側がアウトサイドであり、左側がインサイドであり、上側が爪先側であり、下側が踵側である。第五突出部１６ｅは、接地面２２、アウトサイド壁２４、インサイド壁２６、爪先側壁２８及び踵側壁３０を備えている。
【００１６】
図４（ｂ）において両矢印Ｘで示されてるのは、アウトサイド壁２４の長さである。長さＸは、アウトサイド壁２４の接地面２２との境界において測定される。本明細書においてアウトサイド壁２４とは、インサイドからアウトサイドに向かう方向に対してその垂直方向がなす角度が３０°以下である側壁を意味する。
【００１７】
図４（ａ）から明らかなように、アウトサイド壁２４は鉛直方向に対して傾斜している。傾斜角度θは、１５°以上４５°以下である。角度θは、図４（ａ）における時計回りに測定される。テニスプレーヤーが左右方向運動を行う場合、運動停止時の荷重は踵部８のアウトサイド半分１８に主としてかかる。荷重は、インサイドからアウトサイドに向かう方向にかかる。アウトサイド半分１８に存在し、傾斜角度θが１５°以上４５°以下であるアウトサイド壁２４は、ソール６と地面との適度なスリップに寄与する。スリップにより、プレーヤーに加わる衝撃が抑制される。衝撃抑制の観点から、傾斜角度θは１７°以上がより好ましく、２０°以上が特に好ましい。傾斜角度θが大きすぎると過剰のスリップが生じる。この観点から、傾斜角度θは４０°以下が好ましく、３５°以下が特に好ましい。第一突出部１６ａ、第二突出部１６ｂ、第三突出部１６ｃ及び第四突出部１６ｄも、第五突出部１６ｅのアウトサイド壁２４と同一の傾斜角度θを備えたアウトサイド壁２４を備えている。
【００１８】
傾斜角度θが１５°以上４５°以下であるアウトサイド壁２４と、他のアウトサイド壁２４とが、踵部８のアウトサイド半分１８に併設されてもよい。この場合、スライド性能の観点から、下記数式（Ｉ）で表される比率Ｐｈｏは６０％以上が好ましく、７０％以上がより好ましく、８０％以上が特に好ましい。
Ｐｈｏ＝（Ｘａ／Ｘｂ）・１００      （Ｉ）
この数式（Ｉ）においてＸａは、踵部８のアウトサイド半分１８に存在し、傾斜角度θが１５°以上４５°以下であるアウトサイド壁２４の長さＸの合計を表す。この数式（Ｉ）においてＸｂは、踵部８のアウトサイド半分１８に存在する全てのアウトサイド壁２４の長さＸの合計を表す。合計長さＸｂは、５０ｍｍ以上６００ｍｍ以下が好ましく、１００ｍｍ以上５００ｍｍ以下がより好ましく、１５０ｍｍ以上４００ｍｍ以下が特に好ましい。
【００１９】
踵部８のアウトサイド半分１８に存在する全てのアウトサイド壁２４の傾斜角度θの平均値は、１５°以上４５°以下が好ましい。平均値が上記範囲未満であると、停止時のスリップが生じにくい。この観点から、平均値は１７°以上がより好ましく、２０°以上が特に好ましい。平均値が上記範囲を越えると、停止時に過剰のスリップが生じる。この観点から、平均値は４０°以下がより好ましく、３５°以下が特に好ましい。この平均値は、アウトサイド壁２４の長さＸが考慮された加重平均値である。
【００２０】
図５（ａ）は図３の踵部８の第六突出部１６ｆが正面方向から見られた断面図であり、図５（ｂ）はその底面図であり、図５（ｃ）は図５（ｂ）のＣ−Ｃ線に沿った断面図である。図５（ｂ）において右側がアウトサイドであり、左側がインサイドであり、上側が爪先側であり、下側が踵側である。第六突出部１６ｆは、接地面３２、アウトサイド壁３４、インサイド壁３６、爪先側壁３８及び踵側壁４０を備えている。図５（ｂ）において両矢印Ｙで示されてるのは、アウトサイド壁３４の長さである。長さＹは、アウトサイド壁３４の接地面３２との境界において測定される。
【００２１】
図５（ａ）から明らかなように、アウトサイド壁３４は鉛直方向に対して傾斜している。傾斜角度φは、−１０°以上１０°以下である。角度φは、図５（ａ）における時計回りに測定される。テニスプレーヤーが左右方向運動を行う場合、反転時の荷重は踵部８のインサイド半分２０に主としてかかる。荷重は、インサイドからアウトサイドに向かう方向にかかる。踵部８のインサイド半分２０に存在し、傾斜角度φが−１０°以上１０°以下であるアウトサイド壁３４は、ソール６と地面とのスリップを防止する。防滑性能の観点から、傾斜角度φは８°以下がより好ましく、６°以上が特に好ましい。傾斜角度φが小さすぎると、ソール６の製造が困難である。この観点から、傾斜角度φは−８°以上がより好ましく、−６°以上が特に好ましい。第七突出部１６ｇ、第八突出部１６ｈ、第九突出部１６ｉ及び第十突出部１６ｊも、第六突出部１６ｆのアウトサイド壁３４と同一の傾斜角度φを備えたアウトサイド壁３４を備えている。
【００２２】
傾斜角度φが−１０°以上１０°以下であるアウトサイド壁３４と、他のアウトサイド壁３４とが、踵部８のインサイド半分２０に併設されてもよい。この場合、防滑性能の観点から、下記数式（II）で表される比率Ｐｈｉは６０％以上が好ましく、７０％以上がより好ましく、８０％以上が特に好ましい。
Ｐｈｉ＝（Ｙａ／Ｙｂ）・１００      （II）
この数式（II）においてＹａは、踵部８のインサイド半分２０に存在し、傾斜角度φが−１０°以上１０°以下であるアウトサイド壁３４の長さＹの合計を表す。この数式（II）においてＹｂは、踵部８のインサイド半分２０に存在する全てのアウトサイド壁３４の長さＹの合計を表す。合計長さＹｂは、５０ｍｍ以上６００ｍｍ以下が好ましく、１００ｍｍ以上５００ｍｍ以下がより好ましく、１５０ｍｍ以上４００ｍｍ以下が特に好ましい。
【００２３】
踵部８のインサイド半分２０に存在する全てのアウトサイド壁３４の傾斜角度φの平均値は、−１０°以上１０°以下が好ましい。平均値が上記範囲未満であると、ソール６の製造が困難である。この観点から、平均値は−８°以上がより好ましく、−６°以上が特に好ましい。平均値が上記範囲を越えると、反転時にスリップが生じやすい。この観点から、平均値は８°以下がより好ましく、６°以下が特に好ましい。この平均値は、アウトサイド壁３４の長さＹが考慮された加重平均値である。
【００２４】
図３に示された踵部８では、停止時に荷重がかかるアウトサイド半分１８に傾斜角度θが大きなアウトサイド壁２４が主として形成されており、反転時に荷重がかかるインサイド半分２０に傾斜角度φが小さなアウトサイド壁３４が主として形成されている。このテニス靴２は、防滑性能とスライド性能との両立に優れる。両立の観点から、アウトサイド半分１８における傾斜角度θの平均値と、インサイド半分２０における傾斜角度φの平均値との差は、５°以上が好ましく、１０°以上がより好ましく、１５°以上が特に好ましい。
【００２５】
テニスのプレーにおいて、爪先部１２のアウトサイド半分４２（図２において、中心線Ｃｔよりも右側）に大きな荷重がかかりつつ、運動が停止される場合がある。荷重は、インサイドからアウトサイドに向かう方向にかかる。爪先部１２のアウトサイド半分４２に存在し、傾斜角度が１５°以上４５°以下であるアウトサイド壁４４は、ソール６と地面との適度なスリップに寄与する。スリップにより、プレーヤーに加わる衝撃が抑制される。衝撃抑制の観点から、傾斜角度は１７°以上がより好ましく、２０°以上が特に好ましい。傾斜角度が大きすぎると過剰のスリップが生じる。この観点から、傾斜角度は４０°以下が好ましく、３５°以下が特に好ましい。
【００２６】
傾斜角度が１５°以上４５°以下であるアウトサイド壁４４と、他のアウトサイド壁４４とが、爪先部１２のアウトサイド半分４２に併設されてもよい。この場合、スライド性能の観点から、下記数式（III)で表される比率Ｐｔｏは６０％以上が好ましく、７０％以上がより好ましく、８０％以上が特に好ましい。
Ｐｔｏ＝（Ｘａ／Ｘｂ）・１００      （III)
この数式（III)においてＸａは、爪先部１２のアウトサイド半分４２に存在し、傾斜角度が１５°以上４５°以下であるアウトサイド壁４４の長さＸの合計を表す。この数式（III)においてＸｂは、爪先部１２のアウトサイド半分４２に存在する全てのアウトサイド壁４４の長さＸの合計を表す。合計長さＸｂは、５０ｍｍ以上６００ｍｍ以下が好ましく、１００ｍｍ以上５００ｍｍ以下がより好ましく、１５０ｍｍ以上４００ｍｍ以下が特に好ましい。
【００２７】
爪先部１２のアウトサイド半分４２に存在する全てのアウトサイド壁４４の傾斜角度の平均値は、１５°以上４５°以下が好ましい。平均値が上記範囲未満であると、停止時のスリップが生じにくい。この観点から、平均値は１７°以上がより好ましく、２０°以上が特に好ましい。平均値が上記範囲を越えると、停止時に過剰のスリップが生じる。この観点から、平均値は４０°以下がより好ましく、３５°以下が特に好ましい。この平均値は、アウトサイド壁４４の長さＸが考慮された加重平均値である。
【００２８】
テニスのプレーにおいて、爪先部１２のインサイド半分４６（図２において、中心線Ｃｔよりも左側）に大きな荷重がかかりつつ、運動が反転される場合がある。荷重は、インサイドからアウトサイドに向かう方向にかかる。爪先部１２のインサイド半分４６に存在し、傾斜角度が−１０°以上１０°以下であるアウトサイド壁４８は、ソール６と地面とのスリップを防止する。防滑性能の観点から、傾斜角度は８°以下がより好ましく、６°以上が特に好ましい。傾斜角度が小さすぎると、ソール６の製造が困難である。この観点から、傾斜角度は−８°以上がより好ましく、−６°以上が特に好ましい。
【００２９】
傾斜角度が−１０°以上１０°以下であるアウトサイド壁４８と、他のアウトサイド壁４８とが、爪先部１２のインサイド半分４６に併設されてもよい。この場合、防滑性能の観点から、下記数式（IV）で表される比率Ｐｔｉは６０％以上が好ましく、７０％以上がより好ましく、８０％以上が特に好ましい。
Ｐｔｉ＝（Ｙａ／Ｙｂ）・１００      （IV）
この数式（IV）においてＹａは、爪先部１２のインサイド半分４６に存在し、傾斜角度が−１０°以上１０°以下であるアウトサイド壁４８の長さＹの合計を表す。この数式（IV）においてＹｂは、爪先部１２のインサイド半分４６に存在する全てのアウトサイド壁４８の長さＹの合計を表す。合計長さＹｂは、５０ｍｍ以上６００ｍｍ以下が好ましく、１００ｍｍ以上５００ｍｍ以下がより好ましく、１５０ｍｍ以上４００ｍｍ以下が特に好ましい。
【００３０】
爪先部１２のインサイド半分４６に存在する全てのアウトサイド壁４８の傾斜角度の平均値は、−１０°以上１０°以下が好ましい。平均値が上記範囲未満であると、ソール６の製造が困難である。この観点から、平均値は−８°以上がより好ましく、−６°以上が特に好ましい。平均値が上記範囲を越えると、反転時にスリップが生じやすい。この観点から、平均値は８°以下がより好ましく、６°以下が特に好ましい。この平均値は、アウトサイド壁４８の長さがＹ考慮された加重平均値である。
【００３１】
ソール６のショアＤ硬度は、４０以上８５以下が好ましい。ショアＤ硬度が上記範囲未満であると、ソールの耐久性が不十分である。この観点から、ショアＤ硬度は５５以上がより好ましく、６０以上がより好ましく、６５以上が特に好ましい。ショアＤ硬度が上記範囲を越えると、ソールの衝撃吸収性能が不十分である。この観点から、ショアＤ硬度は８０以下がより好ましく、７５以下が特に好ましい。
【実施例】
【００３２】
以下、実施例によって本発明の効果が明らかにされるが、この実施例の記載に基づいて本発明が限定的に解釈されるべきではない。
【００３３】
［実施例１］
スチレン−ブタジエン共重合体を基材とするゴム組成物を成形型に投入し、ゴムに架橋反応を起こさせて、ソールを得た。このソールの底面のパターンは、図２に示されている。このソールは、第一から第十の突出部を備えている。突出部の仕様が、下記の表１に示されている。このソールの踵部では、アウトサイド半分における比率Ｐｈｏは１００％であり、インサイド半分における比率Ｐｈｉは１００％である。このソールの踵部では、アウトサイド半分における傾斜角度θの平均値は１５°であり、インサイド半分における傾斜角度φの平均値は０°である。このソールに、エチレン酢酸ビニル共重合体からなるミッドソールと、綿からなるアッパーを取り付けて、実施例１のテニス靴を得た。
【００３４】
［実施例２から７及び比較例１から２］
成形型を変形して下記の表１及び表２に示される仕様の突出部を備えたソールを成形した他は実施例１と同様にして、実施例２から７及び比較例１から２のテニス靴を得た。
【００３５】
【表１】
2005073823.tif 000003
【００３６】
【表２】
2005073823.tif 000004
【００３７】
［実用テスト］
プレーヤーにテニス靴を着用させ、砂入り人工芝コート（住友ゴム工業社の商品名「オムニコート」）の上で左右方向の反復運動を行わせた。プレーヤーに、停止時のスライド性能及び反転時の防滑性能を「Ａ」、「Ｂ」及び「Ｃ」の３ランクで評価させた。ランク「Ａ」が最も好ましい。評価結果が、下記の表３に示されている。
【００３８】
【表３】
2005073823.tif 000005
【００３９】
表３において、実施例のテニス靴は、スライド性能及び防滑性能の両方に優れている。この評価結果から、本発明の優位性は明らかである。
【産業上の利用可能性】
【００４０】
本発明に係るテニス靴は、天然芝コート、人工芝コート、クレーコート、ハードコート等でのテニスのプレーに適している。
【図面の簡単な説明】
【００４１】
【図１】図１は、本発明の一実施形態に係るテニス靴が示された側面図である。
【図２】図２は、図１のテニス靴が示された底面図である。
【図３】図３は、図２のソールの一部が示された拡大図である。
【図４】図４（ａ）は図３の踵部の第五突出部が正面方向から見られた断面図であり、図４（ｂ）はその底面図であり、図４（ｃ）は図４（ｂ）のＣ−Ｃ線に沿った断面図である。
【図５】図５（ａ）は図３の踵部の第六突出部が正面方向から見られた断面図であり、図５（ｂ）はその底面図であり、図５（ｃ）は図５（ｂ）のＣ−Ｃ線に沿った断面図である。
【符号の説明】
【００４２】
２・・・テニス靴
４・・・アッパー
６・・・ソール
８・・・踵部
１０・・・土踏まず部
１２・・・爪先部
１４・・・ベース
１６・・・突出部
１８・・・（踵部の）アウトサイド半分
２０・・・（踵部の）インサイド半分
２２、３２・・・接地面
２４、３４・・・アウトサイド壁
２６、３６・・・インサイド壁
２８、３８・・・爪先側壁
３０、４０・・・踵側壁
【図１】
2005073823.tif 000006
【図２】
2005073823.tif 000007
【図３】
2005073823.tif 000008
【図４】
2005073823.tif 000009
【図５】
2005073823.tif 000010